【手続補正書】
【提出日】平成30年10月9日(2018.10.9)
【手続補正１】
【補正対象書類名】明細書
【補正対象項目名】０１７１
【補正方法】変更
【補正の内容】
【０１７１】
他の実施態様も、以下の特許請求の範囲内である。
本件出願は、以下の構成の発明を提供する。
（構成１）
二酸化窒素の一酸化窒素への変換のためのカセットであって：
密封ハウジング、
該密封ハウジング内で二酸化窒素ガスを一酸化窒素に変換することができる第1のカートリッジであって、
入口、分流器、本体、出口、及び還元剤を含む多孔質固体マトリックスを備え、
該多孔質固体マトリックスが、該第1のカートリッジの本体と該多孔質固体マトリックスとの間に空間が存在するように該第1のカートリッジ内に配置され、該多孔質固体マトリックスが、該第1のカートリッジの本体の長さに平行な開口通路を有する、該第1のカートリッジ、
二酸化窒素ガスを一酸化窒素に変換することができる第2のカートリッジであって、該第1のカートリッジの出口と該第2のカートリッジの入口が接続され、
該第2のカートリッジが、入口、分流器、本体、出口、及び還元剤を含む多孔質固体マトリックスを備え、
該多孔質固体マトリックスが、該第1のカートリッジの本体と該多孔質固体マトリックスとの間に空間が存在するように該第1のカートリッジ内に配置され、該多孔質固体マトリックスが、該第1のカートリッジの本体の長さに平行な開口通路を有する、該第2のカートリッジ；並びに
不活性化物質を含む不活性化チャンバを備える、前記カセット。
（構成２）
前記空間が幅を有し、該幅が、前記多孔質固体マトリックスの表面とレセプタクルとの間の距離であり、該空間の幅が、該レセプタクルの長さに沿って異なり得、前記入口が、ガス流を受け取るように構成され、前記分流器が、該ガス流を前記本体と該多孔質固体マトリックスとの間の空間に誘導し、かつ該ガス流が、該ガス流中の二酸化窒素を一酸化窒素に変換するために該多孔質固体マトリックスを介して前記出口に流体連通している、構成1記載のカセット。
（構成３）
前記空間の幅が、前記レセプタクルの長さの一部に沿って減少している、構成2記載のカセット。
（構成４）
前記空間の幅が、前記レセプタクルの長さの一部に沿って増加している、構成2記載のカセット。
（構成５）
前記空間の幅が、前記入口から前記レセプタクルのほぼ中間点までの該レセプタクルの長さの一部に沿って増加し、前記空間の幅が、該レセプタクルのほぼ中間点から前記出口までの該レセプタクルの長さの一部に沿って減少している、構成4記載のカセット。
（構成６）
前記密封ハウジングが、N2O4及びNO2の貯蔵装置を更に備える、構成1記載のカセット。
（構成７）
前記貯蔵装置が、シャトル管内に含められ、該管が、該貯蔵装置を安定させる、構成6記載のカセット。
（構成８）
前記シャトル管が、輸送中に前記不活性化チャンバが前記貯蔵装置に対して開口するように配置されている、構成7記載のカセット。
（構成９）
前記不活性化物質が、前記貯蔵装置が破壊されたときに永久に変色する、構成8記載のカセット。
（構成１０）
前記密封ハウジングが、制限器を更に備える、構成１記載のカセット。
（構成１１）
前記制限器が、前記貯蔵装置と前記第1のカートリッジを接続する、構成10記載のカセット。
（構成１２）
前記密封ハウジングが、ヒータを更に備える、構成1記載のカセット。
（構成１３）
前記ヒータが、前記貯蔵装置に巻き付けられ、かつ該貯蔵装置の温度を変更することによって二酸化窒素ガスの排出量を調節する、構成12記載のカセット。
（構成１４）
1回使用されると廃棄される、構成1記載のカセット。
（構成１５）
コンソールに更に接続され、該コンソールが、ヒータを調節する、構成1記載のカセット。
（構成１６）
液体二酸化窒素の貯蔵装置であって、
アンプルを含む容器、
液体二酸化窒素を含むアンプルであって、該アンプルが破壊されたときに該液体二酸化窒素が一酸化窒素に変換される、該アンプル、
制限器であって、その近位端部が該アンプルに面し、かつその遠位端部が、一酸化窒素ガスの出口を提供する、該制限器；
該アンプルに接続されたリーク弁；及び
該アンプルを含むシャトル管を備える、前記貯蔵装置。
（構成１７）
前記シャトル管が、使用者が前記アンプルを破壊したときに前記制限器に接続される、構成16記載の貯蔵装置。
（構成１８）
ヒータに更に接続されている、構成16記載の貯蔵装置。
（構成１９）
前記ヒータが、使用者が前記アンプルを破壊したときに作動される、構成17記載の貯蔵装置。
（構成２０）
前記リーク弁を介して不活性化チャンバに更に接続されている、構成16記載の貯蔵装置。
（構成２１）
前記シャトルが回転して、前記アンプルを前記不活性化チャンバ又は前記制限器のいずれかに接続する、構成20記載の貯蔵装置。
（構成２２）
混合Tフィッティングに更に接続されている、構成16記載の貯蔵装置。
（構成２３）
空気が、前記混合Tフィッティングに流入する、構成22記載の貯蔵装置。
（構成２４）
前記貯蔵装置の容積が、0.53 mL以下である、構成16記載の貯蔵装置。
（構成２５）
密封ハウジング内に含められている、構成16記載の貯蔵装置。
（構成２６）
前記密封ハウジングが、
該密封ハウジング内で二酸化窒素ガスを一酸化窒素に変換することができる第1のカートリッジであって、
入口、分流器、本体、出口、及び還元剤を含む多孔質固体マトリックスを備え、
該多孔質固体マトリックスが、該第1のカートリッジの本体と該多孔質固体マトリックスとの間に空間が存在するように該第1のカートリッジ内に配置され、該多孔質固体マトリックスが、該第1のカートリッジの本体の長さに平行な開口通路を有する、該第1のカートリッジ、
二酸化窒素ガスを一酸化窒素に変換することができる第2のカートリッジであって、該第1のカートリッジの出口と該第2のカートリッジの入口が接続され、
該第2のカートリッジが、入口、分流器、本体、出口、及び還元剤を含む多孔質固体マトリックスを備え、
該多孔質固体マトリックスが、該第1のカートリッジの本体と該多孔質固体マトリックスとの間に空間が存在するように該第1のカートリッジ内に配置され、該多孔質固体マトリックスが、該第1のカートリッジの本体の長さに平行な開口通路を有する、該第2のカートリッジ；並びに
不活性化物質を含む不活性化チャンバを更に備える、構成25記載の貯蔵装置。
（構成２７）
前記空間が幅を有し、該幅が、前記多孔質固体マトリックスの表面とレセプタクルとの間の距離であり、該空間の幅が、該レセプタクルの長さに沿って異なり得、前記入口が、ガス流を受け取るように構成され、前記分流器が、該ガス流を前記本体と該多孔質固体マトリックスとの間の空間に誘導し、かつ該ガス流が、該ガス流中の二酸化窒素を一酸化窒素に変換するために該多孔質固体マトリックスを介して前記出口に流体連通している、構成26記載のカセット。
（構成２８）
前記空間の幅が、前記レセプタクルの長さの一部に沿って減少している、構成27記載のカセット。
（構成２９）
前記空間の幅が、前記レセプタクルの長さの一部に沿って増加している、構成27記載のカセット。
（構成３０）
前記空間の幅が、前記入口から前記レセプタクルのほぼ中間点までの該レセプタクルの長さの一部に沿って増加し、前記空間の幅が、該レセプタクルのほぼ中間点から前記出口までの該レセプタクルの長さの一部に沿って減少している、構成29記載のカセット。